(57)【要約】  【課題】壁面に取り付けることができ且つ結線作業が容易で、しかも、照明負荷と換気扇との連動動作とは別に照明負荷と換気扇とを個別にオンオフさせることが可能な熱線センサ付自動スイッチを提供する。  【解決手段】熱線センサの出力に基づいて第１のスイッチ要素および第２のスイッチ要素を制御することで照明負荷と換気扇とを連動動作させる機能を有した信号処理部を収納する器体１を埋込配線器具用の取付枠に取付可能とし、第１のスイッチ要素および第２のスイッチ要素の各一端が共通接続された端子と、第１のスイッチ要素および第２のスイッチ要素それぞれの各他端がそれぞれ接続された２個の端子とを端子板６６と鎖錠ばね６７とからなる速結端子として器体１に収納し、照明負荷を個別にオンオフするため操作部４４および換気扇を個別にオンオフするための操作部４９を器体１の前面側に設けてある。【選択図】      図１
2005183319.tif 000002
【特許請求の範囲】
【請求項１】
照明負荷と商用電源との間に挿入される第１のスイッチ要素と、換気扇と商用電源との間に挿入される第２のスイッチ要素と、人体から放射される熱線を検出する熱線センサと、熱線センサの出力に基づいて第１のスイッチ要素および第２のスイッチ要素を制御することにより照明負荷と換気扇とを連動動作させる機能を有した信号処理部とを備えた熱線センサ付自動スイッチであって、第１のスイッチ要素および第２のスイッチ要素および信号処理部が収納される器体を埋込配線器具用の取付枠に取付可能とするとともに、第１のスイッチ要素および第２のスイッチ要素の各一端が共通接続された端子と、第１のスイッチ要素および第２のスイッチ要素それぞれの各他端がそれぞれ接続された２個の端子とを設け、照明負荷を個別にオンオフするため第１の操作部および換気扇を個別にオンオフするための第２の操作部を器体の前面側に設け、信号処理部は、第１の操作部の操作に応じて照明負荷がオンオフするように第１のスイッチ要素を制御する機能と、第２の操作部の操作に応じて換気扇がオンオフするように第２のスイッチ要素を制御する機能とを有することを特徴とする熱線センサ付自動スイッチ。
【請求項２】
前記照明負荷が調光点灯可能であり、前記照明負荷を調光点灯させる深夜モード時間帯の開始時刻および時間を設定する深夜モード時間設定部の操作部が前記器体の前面側に設けられ、前記信号処理部は、深夜モード時間帯に前記照明負荷を点灯させる際には、前記照明負荷を調光点灯させることを特徴とする請求項１記載の熱線センサ付自動スイッチ。
【請求項３】
前記信号処理部は、前記深夜モード時間帯に、前記第１の操作部による前記照明負荷をオンする操作があると前記照明負荷を定格点灯させることを特徴とする請求項２記載の熱線センサ付自動スイッチ。
【請求項４】
前記商用電源の停電時に前記信号処理部へ給電するバックアップ回路部を備え、前記信号処理部は、前記商用電源の停電している間も前記深夜モード時間帯の開始時刻および時間を保持することを特徴とする請求項２または請求項３記載の熱線センサ付自動スイッチ。
【請求項５】
前記熱線センサにより人体が検知されたときに前記照明負荷の動作と前記換気扇の動作とを同時に開始させる照明・換気扇同時動作モードと、前記照明負荷の動作開始よりも前記換気扇の動作開始を遅らせる換気扇遅れ動作モードとを選択する換気扇連動切替スイッチを前記器体の前面側に備え、前記信号処理部は、換気扇連動切替スイッチにより選択されたモードに基づいて第２のスイッチ要素を制御することを特徴とする請求項１ないし請求項４のいずれかに記載の熱線センサ付自動スイッチ。
【請求項６】
前記照明負荷の動作と前記換気扇の動作とを同時に開始させた後で前記照明負荷を消灯させてから前記換気扇を停止させるまでの遅れ時間を前記第２の操作部により調整可能であることを特徴とする請求項１ないし請求項５のいずれかに記載の熱線センサ付自動スイッチ。
【請求項７】
周囲照度を検出する明るさセンサおよび基準照度を設定可能な明るさセンサ調整部の操作部を前記器体の前面側に備え、前記信号処理部は、明るさセンサによる検出照度が基準照度を超えると前記熱線センサの出力に関わらず前記第１のスイッチ要素をオフに保つことを特徴とする請求項１ないし請求項６のいずれかに記載の熱線センサ付自動スイッチ。
【発明の詳細な説明】
【技術分野】
【０００１】
本発明は、人体から放射される熱線を検出することによって照明負荷および換気扇を制御する熱線センサ付自動スイッチに関するものである。
【背景技術】
【０００２】
従来から、トイレ室の人の入退室に応じて照明負荷を点灯させるとともに換気扇を運転するためにトイレ用の熱線センサ付自動スイッチが提供されている。この種の熱線センサ付自動スイッチは、人体から放射される熱線を検知する熱線センサを備え、熱線センサの出力に基づいて人がトイレ室内に存在するか否かを判定している。
【０００３】
この種の熱線センサ付自動スイッチＡとしては、図１０に示すように、器体１００の一部が天井面の下面側に露出するように配置されるものが多く提供されている。このように熱線センサ付自動スイッチＡを天井取付型としているのは、トイレ室９０へ入退室する際の人の動きに対して便座に座った状態では人の動きが小さくなるので、トイレ室９０内の人を熱線センサ（図示せず）により確実に検知することができるようにするためである。図１０に示した熱線センサ付自動スイッチＡでは、熱線センサの検知エリアを調整する受光レンズ１０１が器体１００の下面側の中央部に露出しているので、施工時に受光レンズ１０１の向きを調整することにより、熱線センサの検知エリアのうち比較的感度が高い高感度検知エリアＥの中に便器９２が入るようにするとともにドア９１近傍が熱線センサの検知エリアに入るようにすることが可能である。このように受光レンズ１０１の向きを調整しておくことにより、トイレの使用中に照明負荷が不用意に消灯してしまうことを防止することができる。なお、上述のように天井取付型の熱線センサ付自動スイッチＡの設置場所を決める際には、照明負荷Ｌが白熱灯である場合、この白熱灯からなる照明負荷Ｌを備えた照明器具９３と器体１００の中心線Ｍとの間の距離Ｈ１を３０ｃｍ以上離すとともに、器体１００の中心線と便器９２との間の距離Ｈ２を７０ｃｍ以内とすることが望ましい。
【０００４】
上述の熱線センサ付自動スイッチＡの基本動作は図１１に示す通りであって、図１１（ａ）のように周囲が暗いときには、図１１（ｂ）のように熱線センサによる人の検知（時刻ｔ１１が人の検知時点）に応じて照明負荷Ｌが点灯・消灯し、周囲が明るいときには照明負荷Ｌは人の存否（ｔ２１が人の検知時点）に関わらず消灯状態に保たれる。また、換気扇Ｆは、図１１（ｃ）のように周囲照度に関わらず人の存否に応じてオンオフされる。
【０００５】
また、人が検知された後、予め設定されている動作保持時間（例えば、１０秒〜６分）Ｔ１中に熱線センサが人を検知したときには人を検知しなくなった時点（ｔ１２，ｔ２２が人の検知がなくなった時点）から動作保持時間Ｔ１が経過した時点（ｔ１３，ｔ２３が動作保持時間Ｔ１の経過した時点）で照明負荷Ｌが消灯される。一方、換気扇Ｆは熱線センサにより人が検知された時点（ｔ１１，ｔ２１）から動作を開始し、動作保持時間Ｔ１が終了した時点（ｔ１３，ｔ２３）から、さらに一定時間（例えば、５分）Ｔ２が経過した時点（ｔ１４，ｔ２４）で停止するようになっている。ここで、動作保持時間Ｔ１が終了してから換気扇Ｆを停止するまでの一定時間Ｔ２は固定的に設定されている。
【０００６】
ところで、上述の熱線センサ付自動スイッチＡは天井に取り付けられるものなので、図１２（ａ）に示すように、照明負荷Ｌを強制的にオンオフするための壁面取付型のスイッチＢおよび換気扇Ｆを強制的にオフするための壁面取付型のスイッチＣを熱線センサ付自動スイッチＡとは別途に設けて配線することが考えられている。
【０００７】
ここにおいて、熱線センサ付自動スイッチＡ、スイッチＢ、スイッチＣはそれぞれ、図１２（ｂ），（ｃ），（ｄ）に示すような内部回路を有している。すなわち、熱線センサ付自動スイッチＡは、商用電源ＡＣを接続するための一対の電源接続端子Ｘ１’，Ｘ１’と、照明負荷Ｌを接続するための一対の照明負荷接続端子Ｘ２’，Ｘ２’と、換気扇Ｆを接続するための一対の換気扇接続端子Ｘ３’，Ｘ３’とを備え、一方の電源接続端子Ｘ１’と一方の照明負荷接続端子Ｘ２’と一方の換気扇接続端子Ｘ３’とが共通接続され、他方の電源接続端子Ｘ１’と他方の照明負荷接続端子Ｘ２’との間にトライアックＱ１が挿入されるとともに他方の電源接続端子Ｘ１’と他方の換気扇接続端子Ｘ３’との間にリレーの接点ｒが挿入されており、一対の電源接続端子Ｘ１’，Ｘ１’を通して商用電源から給電される制御回路１１０が熱線センサの出力と周囲照度を検出する明るさセンサの出力とに基づいてトライアックＱ１およびリレーの接点ｒを制御することによって、照明負荷Ｌおよび換気扇Ｆを制御する。
【０００８】
また、照明負荷Ｌを強制的にオンオフするためのスイッチＢは、照明負荷Ｌを強制的にオンにする連続入モードと、照明負荷Ｌを強制的にオフにする連続切モードと、自動モードとを選択可能なスイッチであって、照明負荷Ｌを接続するための端子Ｘ４’と、商用電源ＡＣに接続するための端子Ｘ５’と、熱線センサ付自動スイッチＡの上記他方の照明負荷接続用端子Ｘ２’に接続するための端子Ｘ６’と、照明負荷Ｌを強制的にオフにするための端子Ｘ７’とを備えており、当該スイッチＢの器体の前面側に設けた操作部（図示せず）により連続入モードを選択すれば端子Ｘ４’，Ｘ５’間が電気的に接続されて照明負荷Ｌがオンし、操作部により連続切モードを選択すれば照明負荷Ｌがオフし、自動モードを選択すれば熱線センサ付自動スイッチＡが上述のように熱線センサの出力と明るさセンサの出力とに基づいて照明負荷Ｌを制御することになる。
【０００９】
また、換気扇Ｆを強制的にオフするためのスイッチＣは、換気扇Ｆを強制的にオフにする連続切モードと、自動モードとを選択可能なスイッチであって、熱線センサ付自動スイッチＡの上記他方の換気扇接続用端子Ｘ３’に接続するための端子Ｘ８’と、換気扇Ｆに接続するための端子Ｘ９’と、換気扇Ｆを強制的にオフにするための端子Ｘ１０’とを備えており、当該スイッチＣの器体の前面側に設けた操作部（図示せず）により連続切モードを選択すれば換気扇Ｆがオフし、自動モードを選択すれば熱線センサ付自動スイッチＡが上述のように熱線センサの出力に基づいて換気扇Ｆを制御することになる。
【００１０】
以上説明した熱線センサ付自動スイッチＡは、天井取付型のものであったが、壁面取付型の熱線センサ付自動スイッチも提案されている（例えば、特許文献１参照）。ここにおいて、上記特許文献１に開示された熱線センサ付自動スイッチでは、埋込型の配線器具用の取付枠に取付可能な器体の前面側に配設する受光レンズによって熱線センサの検知エリアを２つ設定することにより、トイレ室内の広い範囲で人を感度良く検知することを可能としている。
【特許文献１】特開平１−１８９５８４号公報（第２頁左下欄第１行〜第７行、第４頁右上欄第１６行〜左下欄第４行、第５頁右下欄第１４行〜第６頁左上欄第６行、第１図〜第４図、第９図、第１０図参照）
【発明の開示】
【発明が解決しようとする課題】
【００１１】
ところで、図１０や上記特許文献１に開示されたものでは、照明負荷Ｌと換気扇Ｆとを連動動作させることができるが、熱線センサ付自動スイッチ単体では、照明負荷と換気扇とを個別にオンオフ操作することができないので、利便性が良くなかった。また、また、図１０や上記特許文献１に開示されたものでは、負荷（照明負荷Ｌ、換気扇Ｆ）と商用電源とを４線で接続する必要があり、結線作業が面倒であった。また、熱線センサにより人体が検知されたときに照明負荷Ｌの動作と換気扇Ｆの動作とを同時に開始させ、照明負荷Ｌを消灯させた後に一定時間Ｔ２が経過してから換気扇Ｆを停止させるという連動動作のみしか設定されておらず、上記一定時間Ｔ２も変更できなかった。また、周囲が暗いときに照明負荷Ｌを点灯させる際には時間帯に関わらず照明負荷Ｌが定格点灯されるので、例えば深夜などにトイレ室内に入った人が眩しく感じてしまうことがあった。
【００１２】
本発明は上記事由に鑑みて為されたものであり、その主な目的は、壁面に取り付けることができ且つ結線作業が容易で、しかも、照明負荷と換気扇との連動動作とは別に照明負荷と換気扇とを個別にオンオフさせることが可能な熱線センサ付自動スイッチを提供することにある。
【課題を解決するための手段】
【００１３】
請求項１の発明は、照明負荷と商用電源との間に挿入される第１のスイッチ要素と、換気扇と商用電源との間に挿入される第２のスイッチ要素と、人体から放射される熱線を検出する熱線センサと、熱線センサの出力に基づいて第１のスイッチ要素および第２のスイッチ要素を制御することにより照明負荷と換気扇とを連動動作させる機能を有した信号処理部とを備えた熱線センサ付自動スイッチであって、第１のスイッチ要素および第２のスイッチ要素および信号処理部が収納される器体を埋込配線器具用の取付枠に取付可能とするとともに、第１のスイッチ要素および第２のスイッチ要素の各一端が共通接続された端子と、第１のスイッチ要素および第２のスイッチ要素それぞれの各他端がそれぞれ接続された２個の端子とを設け、照明負荷を個別にオンオフするため第１の操作部および換気扇を個別にオンオフするための第２の操作部を器体の前面側に設け、信号処理部は、第１の操作部の操作に応じて照明負荷がオンオフするように第１のスイッチ要素を制御する機能と、第２の操作部の操作に応じて換気扇がオンオフするように第２のスイッチ要素を制御する機能とを有することを特徴とする。
【００１４】
この発明によれば、器体が埋込配線器具用の取付枠に取付可能なので、壁面に取り付けることができ、しかも、第１のスイッチ要素および第２のスイッチ要素の各一端が共通接続された端子と、第１のスイッチ要素および第２のスイッチ要素それぞれの各他端がそれぞれ接続された２個の端子とを備えているので、商用電源と照明負荷および換気扇とを２線式の配線とすることができ、結線作業が容易になり、また、熱線センサの出力に基づいて第１のスイッチ要素および第２のスイッチ要素を制御することにより照明負荷と換気扇とを連動動作させる機能を有した信号処理部が、第１の操作部の操作に応じて照明負荷をオンオフさせる機能と、第２の操作部の操作に応じて換気扇をオンオフさせる機能とを有するので、照明負荷と換気扇との連動動作とは別に照明負荷と換気扇とを個別にオンオフさせることが可能となる。したがって、必要に応じて照明負荷および換気扇それぞれを個別にオンオフさせることが可能となり、例えば、換気扇を清掃する際に、照明負荷は点灯させる一方で換気扇を停止させることが可能となる。
【００１５】
請求項２の発明は、請求項１の発明において、前記照明負荷が調光点灯可能であり、前記照明負荷を調光点灯させる深夜モード時間帯の開始時刻および時間を設定する深夜モード時間設定部の操作部が前記器体の前面側に設けられ、前記信号処理部は、深夜モード時間帯に前記照明負荷を点灯させる際には、前記照明負荷を調光点灯させることを特徴とする。
【００１６】
この発明によれば、深夜モード時間帯を設定しておけばその設定時間帯に人が検知されたときには前記照明負荷が調光点灯されるので、前記照明負荷が定格点灯される場合に比べて人が眩しく感じにくくなる。
【００１７】
請求項３の発明は、請求項２の発明において、前記信号処理部は、前記深夜モード時間帯に、前記第１の操作部による前記照明負荷をオンする操作があると前記照明負荷を定格点灯させることを特徴とする。
【００１８】
この発明によれば、前記深夜モード時間帯であっても緊急時など必要に応じて前記照明負荷を定格点灯させることができる。
【００１９】
請求項４の発明は、請求項２または請求項３の発明において、前記商用電源の停電時に前記信号処理部へ給電するバックアップ回路部を備え、前記信号処理部は、前記商用電源の停電している間も前記深夜モード時間帯の開始時刻および時間を保持することを特徴とする。
【００２０】
この発明によれば、前記商用電源の停電後における前記深夜モードの再設定が不要となる。
【００２１】
請求項５の発明は、請求項１ないし請求項４の発明において、前記熱線センサにより人体が検知されたときに前記照明負荷の動作と前記換気扇の動作とを同時に開始させる照明・換気扇同時動作モードと、前記照明負荷の動作開始よりも前記換気扇の動作開始を遅らせる換気扇遅れ動作モードとを選択する換気扇連動切替スイッチを前記器体の前面側に備え、前記信号処理部は、換気扇連動切替スイッチにより選択されたモードに基づいて第２のスイッチ要素を制御することを特徴とする。
【００２２】
この発明によれば、照明・換気扇同時動作モードを選択しておけば、照明負荷の動作と換気扇の動作とを同時に開始させることができる一方で、換気扇遅れ動作モードを選択しておけば、例えば冬季などにトイレ室内に人が居る間は換気扇を動作させず、トイレ室から人が退室した後に換気扇の動作を開始させることが可能となる。
【００２３】
請求項６の発明は、請求項１ないし請求項５の発明において、前記照明負荷の動作と前記換気扇の動作とを同時に開始させた後で前記照明負荷を消灯させてから前記換気扇を停止させるまでの遅れ時間を前記第２の操作部により調整可能であることを特徴とする。
【００２４】
この発明によれば、前記照明負荷を消灯させてから前記換気扇を停止させるまでの遅れ時間を調整できるので、トイレ室内の広さに合わせて遅れ時間を設定することが可能となる。
【００２５】
請求項７の発明は、請求項１ないし請求項６の発明において、周囲照度を検出する明るさセンサおよび基準照度を設定可能な明るさセンサ調整部の操作部を前記器体の前面側に備え、前記信号処理部は、明るさセンサによる検出照度が基準照度を超えると前記熱線センサの出力に関わらず前記第１のスイッチ要素をオフに保つことを特徴とする。
【００２６】
この発明によれば、周囲照度が明るいときに前記照明負荷が点灯するのを防止できて節電を図ることができる。
【発明の効果】
【００２７】
請求項１の発明では、壁面に取り付けることができ且つ結線作業が容易で、しかも、照明負荷と換気扇との連動動作とは別に照明負荷と換気扇とを個別にオンオフさせることが可能であるという効果がある。
【発明を実施するための最良の形態】
【００２８】
（実施形態１）
以下、本実施形態の熱線センサ付自動スイッチについて図１〜図８を参照しながら説明する。なお、本実施形態の熱線センサ付自動スイッチは、トイレ室の壁面に取り付けられてトイレ室の照明負荷および換気扇を制御するものであるが、トイレ室以外の場所で使用することも可能である。
【００２９】
本実施形態の熱線センサ付自動スイッチの器体１は、前面開口した合成樹脂製のボディ１０と、ボディ１０の前面側に結合される後面開口した合成樹脂性のカバー２０とにより形成されている。すなわち、カバー２０の長手方向の両側壁（上下両側壁）の後縁からは後方に向かって組立片２１が延設され、組立片２１に設けた組立孔２１ａがボディ１０の長手方向の両面（上下両面）に形成してある組立突起１１に係合することによりボディ１０とカバー２０とが結合されている。
【００３０】
器体１は、埋込配線器具（埋込型の配線器具）用の取付枠４に３個まで連設して取り付けることができる単位寸法の埋込配線器具の３個分に相当する寸法に形成されている。したがって、取付枠４に対して器体１を１個だけ取り付けることが可能である。
【００３１】
器体１の前部を形成するカバー２０の短手方向の両側面（左右両側面）には、取付枠４の矩形状の窓孔（図示せず）を囲む部位に設けた器具取付孔４ｂに係合可能な取付爪２２ｃがそれぞれ一対ずつ突設してあり、取付爪２２ｃが器具取付孔４ｂに係合することによって器体１が取付枠４に保持されるようにしてある。カバー２０の短手方向の一方の側壁には後端が開放された前後方向の２本の切り込み溝２２ｅが形成され、両切り込み溝２２ｅの間の部位は厚み方向に可撓性を有する撓み片２２ｆを形成している。したがって、撓み片２２ｆをカバー２０の内側に撓ませることによって取付爪２２ｃをカバー２０の側面から弾性的に後退させることが可能になっている。
【００３２】
上述の器体１を取付枠４に取り付ける際には、カバー２０において撓み片２２ｆを形成した側壁とは反対側の側壁に設けた取付爪２２ｃを取付枠４の器具取付孔４ｂに挿入した後、撓み片２２ｆを形成した側壁に設けた取付爪２２ｃをカバー２０の側面から後退させるようにして取付枠４の窓孔に器体１を挿入すれば、器具取付孔４ｂに取付爪２２ｃが挿入されて器体１が取付枠４に保持される。また、撓み片２２ｆをカバー２０に押し込むようにすれば、取付爪２２ｃが器具取付孔４ｂから抜け、取付枠４から器体１を取り外すことができる。撓み片２２ｆの後端部外側面には撓み片２２ｆの押し込みを容易にするために押突起２２ｇが突設されている。
【００３３】
なお、取付枠４は、器具取付手段としての器具取付孔４ｂを長手方向において３組備えている。また、取付枠４は壁面のような施工面に対して３種類の取付方法が選択可能となるように構成してある。すなわち、取付枠４の上片および下片には壁に埋込配設された埋込ボックスの開口側に設けた取付舌片に螺合するボックスねじを挿通するための長孔４ｃ、施工面が木質壁などの場合に取付枠４を直付けする際に用いる直付け用のねじを挿通するためのねじ挿通孔４ｄ、施工面が石膏ボードのようなパネル材であるときに使用するはさみ金具の一端部を係止するはさみ金具取付孔４ｅが形成されている。また、取付枠４の前面側には、取付枠４における器具取付用の窓孔よりも長寸かつ広幅の開口窓を備えるプレート（図示せず）が重ね合わせて配置されるが、取付枠４の上片および下片には、化粧プレートとともにプレートを構成するプレート枠を取り付けるプレートねじを螺合させるねじ孔４ｆも形成されている。なお、プレートは、プレート枠が取付枠４の前面側に取り付けられ、プレート枠の前面側に化粧プレートが取り付けられる。
【００３４】
ボディ１０とカバー２０とには、後述する回路部の構成部品の一部を実装したプリント基板よりなる回路基板６１，６２がそれぞれ収納されている。なお、両回路基板６１，６２はテープ電線（図示せず）を用いて互いに電気的に接続されている。
【００３５】
カバー２０に収納される回路基板６２の前面側の下部には、センサ素子としての熱線センサ２（図５参照）と、ＣｄＳよりなる明るさセンサ３（図５参照）の検知エリアを設定する受光光学系６４が配設されている。ここにおいて、カバー２０の前壁には、受光光学系６４を露出させる半円状の開口窓２２が形成されている。また、受光光学系６４は、受光レンズとミラーとで、本実施形態の熱線センサ付自動スイッチをトイレ室内の壁面に取り付けたときの熱線センサ２の適正な視野を保っている。言い換えれば、トイレ室において壁面に熱線センサ付自動スイッチを配置しながらも、便座に座っている人の微小な動きやトイレ室に出入りする人の動きを受光光学系６４を通して受光する熱線により検出することができる。なお、受光レンズは赤外線が透過しやすいように高密度ポリエチレン樹脂を用いて構成されている。
【００３６】
上述の器体１には、カバー２０の前面側を覆う合成樹脂成形品からなる化粧カバー３０が着脱自在に装着される。ここに、化粧カバー３０は、外周形状が縦長の矩形状であって、プレートの開口窓内に配置されプレートの開口窓を１個で覆う程度の大きさに形成されている。一方、カバー２０の上下両壁には化粧カバー３０の後面から突設された係止片が挿入係止される係止孔２３が２つずつ形成されている。要するに、化粧カバー３０はカバー２０に凹凸係合するように形成されている。
【００３７】
化粧カバー３０の下部にはカバー２０に設けた開口窓２２に対応する部位で窓孔３２が形成されている。したがって、化粧カバー３０をカバー２０に装着した状態で、受光光学系６４が窓孔３２を通して化粧カバー３０の前面側に露出することになる。なお、窓孔３２は開口形状が半円状であって、前面側ほど開口面積が徐々に大きくなるように形成されている。
【００３８】
また、ボディ１０に収納された回路基板６１には外部電線を接続するための複数（４つの）の端子が実装されている。これらの端子はいわゆる速結端子であり、回路基板６１に実装された端子板６６と、端子板６６との間に外部電線を保持する鎖錠ばね６７とで構成されている。鎖錠ばね６７は弾性を有する金属板を曲成することにより形成したものであり、ばね力によって外部電線を端子板６６との間に挟持し、かつ端縁を外部電線に食い込ませることによって外部電線を抜け止めする。また、ボディ１０内には、外部電線を抜け止めしている鎖錠ばね６７を外部電線から引き離すための解除釦６８が２つ設けられている。つまり、解除釦６８を押圧することによって２個の鎖錠ばね６７を同時に撓ませることができるように、各解除釦６８は、２個の鎖錠ばね６７に跨って配設されている。
【００３９】
外部電線は、ボディ１０の後壁に形成した電線挿入孔１３を通して器体１に挿入され、端子板６６と鎖錠ばね６７との間に挟持される。また、解除釦６８は電線挿入孔１３に隣接して設けた操作孔１４にドライバの先端部などを挿入することによって操作することができるようになっている。
【００４０】
ところで、本実施形態の熱線センサ付自動スイッチは、上述のようにトイレ室で用いることを想定しており、照明負荷と換気扇との２系統の負荷を連動制御することできるとともに、各別に制御することができるように構成してある。以下では、回路部の構成について図５および図６を参照しながら説明する。なお、図５は回路ブロック図、図６は具体構成を示す回路図である。
【００４１】
熱線センサ２と明るさセンサ３とはマイクロコンピュータよりなる信号処理部５１に接続されている。信号処理部５１では、熱線センサ２と明るさセンサ３との出力に基づいて照明制御部５２（図６参照）および換気扇制御部５３（図６参照）に指示を与えて白熱灯からなる照明負荷Ｌおよび換気扇Ｆを制御する。ここで、内部電源は商用電源ＡＣをダイオードブリッジからなる整流器ＤＢにより整流し、整流器ＤＢの出力を電源回路部５４で安定化することにより供給される。また、照明負荷Ｌの動作保持時間（熱線センサ２によって人が検知されなくなってから照明負荷Ｌを消灯させるまでの時間）を設定するための動作保持時間設定部５５が信号処理部５１に接続されている。ここに、動作保持時間設定部５５としては、信号処理部５１に１６段階の切替が可能な回転式のスイッチからなる保持時間調整スイッチＳＷ２を接続してあり、動作保持保持時間を１０秒、３０秒、１分、１分３０秒、２分、３分、４分、５分、６分、１０分、１５分、２０分、２５分、３０分の多段階に調整可能となっている。
【００４２】
また、商用電源ＡＣを接続するための電源接続端子（共通端子）Ｘ１、照明負荷Ｌを接続するための照明負荷接続端子Ｘ２、換気扇Ｆを接続するための換気扇接続端子Ｘ３を１つずつ備え、電源接続端子Ｘ１と照明負荷接続端子Ｘ２との間には照明制御部５２のトライアックＱ１が挿入され、電源接続端子Ｘ１と換気扇接続端子Ｘ３との間には換気扇制御部５３のリレーＲｙの接点ｒが挿入される。したがって、トライアックＱ１のオンオフにより照明負荷Ｌがオンオフされ、接点ｒのオンオフにより換気扇Ｆがオンオフされる。ここにおいて、トライアックＱ１およびリレーＲｙは信号処理部５１によって制御される。電源接続端子Ｘ１、照明負荷接続端子Ｘ２、換気扇接続端子Ｘ３は、それぞれ上述した速結端子により構成される。また、照明制御部５２は、信号処理部５１によって発光ダイオードからなる発光素子ＬＥとフォトトライアックからなる受光素子ＰＤとを備えたフォトカプラ（フォトトライアックカプラ）ＰＣが制御されることでトライアックＱ１が制御され、照明負荷Ｌを調光点灯させることが可能となっている。また、リレーＲｙは、ラッチングリレーであり、セットコイルとリセットコイルとを備えている。なお、本実施形態では、トライアックＱ１が第１のスイッチ要素を構成し、リレーＲｙの接点ｒが第２のスイッチ要素を構成しており、信号処理部５１は、熱線センサ２の出力に基づいて第１のスイッチ要素および第２のスイッチ要素を制御することにより照明負荷Ｌと換気扇Ｆとを連動動作させる機能を有している。また、第１のスイッチ要素および第２のスイッチ要素の各一端が共通接続された端子として電源接続端子Ｘ１を備え、第１のスイッチ要素および第２のスイッチ要素それぞれの各他端がそれぞれ接続された２個の端子として照明負荷接続端子Ｘ２および換気扇接続端子Ｘ３を備えており、商用電源ＡＣと照明負荷Ｌおよび換気扇Ｆとを２線式の配線とすることができ、結線作業が容易になる。
【００４３】
さらに、図示例の回路部は熱線センサ２の出力に基づいて照明負荷Ｌのオンオフを行う自動モードと、照明負荷Ｌを強制的にオフに保つ切モードと、照明負荷Ｌを強制的に定格点灯状態に保つ入モードとの３モードを選択可能なスライド式のスイッチからなるモード切替スイッチＳＷ１を手動スイッチ部５６として信号処理部５１に接続してある。
【００４４】
また、信号処理部５１は、モード切替スイッチＳＷ１により自動モードが選択されている場合、明るさセンサ３による検出照度が基準照度を超えているときには熱線センサ２の出力とは無関係に照明負荷Ｌをオフに保つようになっており、信号処理部５１には、基準照度を設定する明るさセンサ調整部５７が接続されている。ここに、明るさセンサ調整部５７としては、信号処理部５１に回転式の可変抵抗器ＶＲ１を接続してあり、５ｌｘ〜２００ｌｘの範囲で基準照度を設定可能であり、また、明るさセンサ３による周囲照度の検出とは無関係に照明負荷Ｌを動作させる状態も設定可能となっている。
【００４５】
また、信号処理部５１は、熱線センサ２による人の検出に応答して照明負荷Ｌを調光点灯させる深夜モード時間帯の開始時刻および時間を設定する深夜モード時間設定部５８が接続されている。ここに、深夜モード時間設定部５８としては、信号処理部５１に回転式の可変抵抗器ＶＲ２を接続してあり、可変抵抗器ＶＲ２の操作部４８を操作することで、深夜モード時間帯を設定していない切の状態から操作深夜モード時間帯の時間を４時間、５時間、６時間、７時間、８時間の多段階で調整できるようになっている。信号処理部５１では、可変抵抗器ＶＲ２により深夜モード時間帯の時間が設定された時刻を深夜モード時間帯の開始時刻として保持し、その開始時刻から深夜モード時間帯の時間の時限が終了するまでは深夜モードとなり、深夜モード時間帯にトイレ室へ人が入室したときには照明負荷Ｌが調光点灯されるので、人の眼の覚醒をさけたり、使用者がまぶしく感じるのを防止することができる。また、緊急時などには使用者が上述のモード切換スイッチＳＷ１の操作部４４により入モードを選択することにより、照明負荷Ｌを定格点灯させることが可能となる。
【００４６】
また、信号処理部５１は、動作保持時間の終了後に換気扇Ｆを停止させるまでの遅れ時間Ｔ２である換気扇遅れ時間を設定する換気扇遅れ時間設定部５９も接続されている。ここに、換気扇遅れ時間設定部５９としては、信号処理部５１に回転式の可変抵抗器ＶＲ３を接続してあり、換気扇遅れ時間を５分、１０分、１５分、３０分の４段階で設定できるようになっており、換気扇を強制的にオフにする状態、換気扇Ｆを連続動作させる状態の選択も可能となっている。したがって、可変抵抗器ＶＲ３によりトイレ室内の広さに応じた換気扇遅れ時間の設定が可能となり、また、可変抵抗器ＶＲ３により換気扇Ｆを強制的にオフにする状態を選択すれば、集合住宅などで窓がないトイレ室内において換気扇Ｆの掃除を行う際に、照明負荷Ｌは点灯させ、換気扇Ｆは停止させることが可能となり、また、可変抵抗器ＶＲ３により換気扇Ｆを連続動作させる状態を選択すれば、換気扇Ｆを常時換気設備として利用することが可能となり、利便性が高くなる。なお、窓がないトイレ室内で換気扇Ｆの掃除の際には、周囲照度によらず照明負荷Ｌを点灯させることが望ましいので、このような場合には明るさセンサ調整部５７としての可変抵抗器ＶＲ１によって明るさセンサ３を無効に設定するか、あるいはモード切換スイッチＳＷ１によって入モードを選択すればよい。
【００４７】
さらに、信号処理部５１には、トイレ室への人の入室が熱線センサ２により検出されたときに照明負荷Ｌと連動動作するように換気扇Ｆの動作を開始させるモード（つまり、照明負荷Ｌの動作と換気扇Ｆの動作とを同時に開始させる照明・換気扇同時動作モード）と、トイレ室から人が退室した後で換気扇Ｆの動作を開始させるモード（つまり、照明負荷Ｌの動作開始時刻に比べて換気扇Ｆの動作開始時刻を遅延させる換気扇遅れ動作モード）とを選択可能なスライド式の換気扇連動切替スイッチＳＷ３も接続されている。このような換気扇連動切替スイッチＳＷ３を設けてあるので、例えば、冬季などで換気扇Ｆが動作していると寒さを感じるような場合に、換気扇遅れ動作モードを選択しておけば使用者の入室中の換気扇Ｆの動作を行わないようにして退室後に換気扇Ｆを動作させることが可能となる。また、夏季などは照明・換気扇同時動作モードを選択しておけば使用者が入室すると照明負荷Ｌと同時に換気扇Ｆの動作が開始されるので、少なくとも使用者の入室中はトイレ室内の換気を行うことができる。
【００４８】
上述の説明から明らかなように、本実施形態では、手動スイッチ部５６としてのモード切替スイッチＳＷ１、動作保持時間調整部５５としての保持時間調整スイッチＳＷ２、換気扇連動切替スイッチＳＷ３、明るさセンサ調整部５７としての可変抵抗器ＶＲ１、深夜モード時間設定部５８としての可変抵抗器ＶＲ２、換気扇遅れ時間設定部としての可変抵抗器ＶＲ３それぞれの操作部４４，４５，４６，４７，４８，４９が図２に示すように化粧カバー３０の前面に露出するようになっている。すなわち、カバー２０には、６つの操作部４４〜４９それぞれに対応して６つの露出孔２４〜２９が形成されており、化粧カバー３０には、６つの操作部４４〜４９それぞれに対応して６つの露出孔３４〜３９が形成されている。ここにおいて、化粧カバー３０の前面には、図４に示すように、５つの操作部４５〜４９それぞれを露出させる５つの窓孔８５〜８９が形成され各窓孔８５〜８９それぞれの近傍に操作部４５〜４９の用途や操作部４５〜４９による設定内容に関する表記がなされた銘板８０が貼着される。なお、本実施形態では、操作部４４が第１の操作部を構成し、操作部４９が第２の操作部を構成しており、信号処理部５１は、第１の操作部の操作に応じて照明負荷Ｌがオンオフするように第１のスイッチ要素を制御する機能と、第２の操作部の操作に応じて換気扇Ｆがオンオフするように第２のスイッチ要素を制御する機能とを有している。
【００４９】
ところで、上述の６つの操作部４４〜４９のうち５つの操作部４５〜４９はモード切替スイッチＳＷ１の操作部４４に比べて操作頻度が低いので、化粧カバー３０には、これら操作頻度の比較的低い５つの操作部４５〜４９が不用意に操作されないように操作部４５〜４９を開閉自在に覆う扉４０の一端部が枢着されており、通常は化粧カバー３０の前面側の扉４０を閉じて操作部４４〜４９を覆っておく。なお、扉４０は一端部の上下両面から軸部４１が突設されており、これら軸部４１を化粧カバー３０側に設けた上下一対の軸受台３３の互いの対向面それぞれに形成された軸受溝３３ａに嵌め込むことにより化粧カバー３０に枢着されている。また、扉４０は、化粧カバー３０の前壁の右端部に形成された係合孔３０ａに係脱自在に挿入される係合突起（図示せず）が他端部の後面側で突設されている。
【００５０】
また、本実施形態では、信号処理部５１に、商用電源ＡＣの停電を検出する停電検出回路部６０、比較的大容量（例えば、１Ｆ）のコンデンサＣ１を備え商用電源ＡＣの停電時にコンデンサＣ１から信号処理部５１へ給電するバックアップ回路部７０、商用電源ＡＣの停電時に信号処理部５１へクロック周期を与える発振回路７１なども接続されている。ここに、コンデンサＣ１としては、深夜モード時間帯の時間よりも長い時間、信号処理部５１への給電を継続できるような容量のものを用いている。したがって、信号処理部５１は、停電検出回路部６０により停電が検出されたときにはバックアップ回路部７０から電源が供給されるとともに発振回路７１からクロック周期が与えられるので、深夜モード時間帯の開始時刻と時間を保持することができ、停電後の再設定が不要であり利便性が高くなる。
【００５１】
次に動作を説明する。本実施形態における基本的な動作は図７に示す通りであって、図７では明るさセンサ調整部５７としての可変抵抗器ＶＲ１により基準照度が設定され、かつモード切換スイッチＳＷ１により自動モードが選択され、さらに換気扇連動切替スイッチＳＷ３により照明・換気扇同時動作モードが選択されている場合を示している。このように設定されている場合、深夜モード時間帯が設定されていないときには、図７（ａ）のように周囲照度が暗い（明るさセンサ３により検出される周囲照度が可変抵抗器ＶＲ１により設定された基準照度以下である）と、図７（ｂ）のように熱線センサ２による人の検知に応じて照明負荷Ｌが点灯・消灯し、周囲照度が明るい（明るさセンサ３により検出される周囲照度が可変抵抗器ＶＲ１により設定された基準照度よりも高い）と、照明負荷Ｌは人の存否にかかわらず消灯状態に保たれる。また、換気扇Ｆは図７（ｃ）のように周囲照度にかかわらず人の存否に応じてオンオフされる。ここで、照明負荷Ｌが点灯する際にはソフトスタートし、時間経過に伴って照明負荷Ｌの光出力が増加し、一定時間（例えば、２．５秒）後に定格点灯状態になる。また、深夜モード時間帯が設定されている場合（つまり、深夜モード時間帯であれば）、照明負荷Ｌが点灯する際にはソフトスタートし、時間経過に伴って照明負荷Ｌの光出力が増加し、一定時間（例えば、２．５秒）後に調光点灯状態（例えば、光出力が定格点灯を１００％としたときの２０％）になる。
【００５２】
ここで、照明負荷Ｌが接続される電源接続端子Ｘ１と照明負荷接続端子Ｘ２との間に挿入される第１のスイッチ要素としてはトライアックＱ１を用いているので、照明負荷Ｌを点灯させる際にはトライアックＱ１を位相制御することによってソフトスタートを実現し、ソフトスタートを行うことによって突入電流を抑制している。
【００５３】
人が検知された後、保持時間調整スイッチＳＷ１で設定されている動作保持時間Ｔ１の終了が近付くと一定時間前（例えば、６秒前）に照明負荷Ｌの光出力を低下させる（深夜モード時間帯が設定されていない場合には光出力を５０％に低下させ、深夜モード時間帯が設定されている場合には光出力を１０％に低下させる）ことによって予告を行う（予告減光という）。これによって、消灯が近付いたことを知ることができる。動作保持時間Ｔ１中に熱線センサ２が人の動きを検出したときには動作保持時間Ｔ１が延長され（信号処理部５１にて動作保持時間Ｔ１を時限するタイマを再スタートし）、最後に人が検知されなくなってから動作保持時間Ｔ１が経過した後に照明負荷Ｌが消灯するので、上記受光光学系６４を適宜設計することにより、トイレ室の使用中に照明負荷Ｌが消灯するのを防止することができる。なお、予告減光中に熱線センサ２により人が検出されたときには、再び定格点灯状態に移行する。
【００５４】
一方、換気扇Ｆは人が検知された時点から動作を開始し、動作保持時間Ｔ１が終了した時点から、さらに上述の遅れ時間Ｔ２が経過すると停止するようになっている。
【００５５】
ところで、図７は換気扇連動切替スイッチＳＷ３により照明・換気扇同時動作モードが選択されている場合（つまり、照明負荷Ｌの動作開始と換気扇Ｆの動作開始とを連動させる場合）の動作説明図であったが、換気扇連動切替スイッチＳＷ３により遅れ動作モードが選択されている場合の動作は図８のようになる。すなわち、照明負荷Ｌの動作については図８（ｂ）に示すように図７（ｂ）と同じであり、換気扇Ｆの動作タイミングが相違する。換気扇Ｆは動作保持時間Ｔ１が終了した時点から動作を開始し、上述の遅れ時間Ｔ２が経過すると停止するようになっている。
【００５６】
以上説明した熱線センサ付自動スイッチでは、埋込配線器具用の取付枠４に取付可能な器体１の前面側に、手動スイッチ部５６としてのモード切替スイッチＳＷ１、動作保持時間調整部５５としての保持時間調整スイッチＳＷ２、換気扇連動切替スイッチＳＷ３、明るさセンサ調整部５７としての可変抵抗器ＶＲ１、深夜モード時間設定部５８としての可変抵抗器ＶＲ２、換気扇遅れ時間設定部としての可変抵抗器ＶＲ３それぞれの操作部４４，４５，４６，４７，４８，４９が設けられているので、各ユーザの使用用途や設置場所、メンテナンスなどに応じた多様な動作設定を容易に行うことができる。
【００５７】
なお、上述の実施形態では、深夜モード時間設定部５８としての可変抵抗器ＶＲ２を備えているものについて説明したが、深夜モード時間設定部５８を備えていない場合には、図９に示すような銘板８０を化粧カバー３０の前面に貼着すればよい。
【図面の簡単な説明】
【００５８】
【図１】実施形態を示す概略分解斜視図である。
【図２】同上において扉を取り外した状態の概略斜視図である。
【図３】同上の施工方法の説明図である。
【図４】同上の要部正面図である。
【図５】同上の回路ブロック図である。
【図６】同上の具体回路図である。
【図７】同上の動作説明図である。
【図８】同上の動作説明図である。
【図９】同上の他の構成例における要部正面図である。
【図１０】従来例の説明図である。
【図１１】同上の動作説明図である。
【図１２】同上の配線例の一例を示し、（ａ）は配線説明図、（ｂ）は概略内部回路図、（ｃ）は照明負荷をオンオフするためのスイッチの概略内部回路図、（ｄ）は換気扇をオンオフするためのスイッチの概略内部回路図である。
【符号の説明】
【００５９】
１  器体
１０  ボディ
２０  カバー
３０  化粧カバー
４０  扉
４４〜４９  操作部
６１  回路基板
６４  受光光学系
６６  端子板
６７  鎖錠ばね
６８  解除釦
ＳＷ１  モード切替スイッチ
ＳＷ２  保持時間調整スイッチ
ＳＷ３  換気扇連動切替スイッチ
ＶＲ１  可変抵抗器
ＶＲ２  可変抵抗器
ＶＲ３  可変抵抗器
【図１】
2005183319.tif 000003
【図２】
2005183319.tif 000004
【図３】
2005183319.tif 000005
【図４】
2005183319.tif 000006
【図５】
2005183319.tif 000007
【図６】
2005183319.tif 000008
【図７】
2005183319.tif 000009
【図８】
2005183319.tif 000010
【図９】
2005183319.tif 000011
【図１０】
2005183319.tif 000012
【図１１】
2005183319.tif 000013
【図１２】
2005183319.tif 000014